(57)【要約】【課題】定着したＩＣチップが除去されることを防止できるＩＣチップ定着媒体を提供する。【解決手段】電子回路チップ定着媒体１２０は、電波を介してデータを送受信するとともに情報記憶部材を有するＩＣチップ１２１と、ＩＣチップ１２１の形状を模して形成したダミーＩＣチップ１２２とを備える。また、ＩＣチップ１２１とダミーＩＣチップ１２２とを複数備え、ＩＣチップ１２１は同一の情報または、１つの情報から分割された情報を記憶する。また、ＩＣチップ１２１は、電子回路チップ定着媒体１２０上における定着位置を記憶する。また、ＩＣチップ１２１はマジックナンバーを記憶する。また、電子回路チップ定着媒体１２０上におけるＩＣチップ１２１とダミーＩＣチップ１２２の定着位置は乱数により決定する。【選択図】          図１
2004295171.tif 000002
【特許請求の範囲】
【請求項１】
電波を介してデータを送受信するとともに情報記憶部材を有する電子回路チップと、
前記電子回路チップの形状を模して形成したダミーチップとを備えたことを特徴とする電子回路チップ定着媒体。
【請求項２】
複数の前記電子回路チップと、複数の前記ダミーチップとを備え、前記複数の電子回路チップは同一の情報を記憶することを特徴とする請求項１に記載の電子回路チップ定着媒体。
【請求項３】
複数の前記電子回路チップと、複数の前記ダミーチップとを備え、前記複数の電子回路チップは、一の情報を分割した分割情報を各々記憶することを特徴とする請求項１に記載の電子回路チップ定着媒体。
【請求項４】
前記複数の電子回路チップおよび前記複数のダミーチップは、前記電子回路チップ定着媒体における所定の位置に各々配置され、複数の電子回路チップは前記電子回路チップ定着媒体における位置を記憶することを特徴とする請求項３に記載の電子回路チップ定着媒体。
【請求項５】
前記複数の電子回路チップは、マジックナンバーを各々記憶することを特徴とする請求項４に記載の電子回路チップ定着媒体。
【請求項６】
前記複数の電子回路チップおよび前記複数のダミーチップは、前記電子回路チップ定着媒体における乱数により決定された位置に各々配置されることを特徴とする請求項５に記載の電子回路チップ定着媒体。
【発明の詳細な説明】
【０００１】
【発明の属する技術分野】
本発明は、紙幣や有価証券等の媒体の偽造を防止する電子回路チップ定着媒体に関するものである。
【０００２】
【従来の技術】
従来、この種の技術としては、記録媒体に記録されたデータを記録媒体に付された電子回路チップに予め登録し、電子回路チップに登録されたデータと記録媒体から読み取られたデータとを比較することによって、偽造された記録媒体を検出したり、正規品と非正規品とを判別するようにした技術が知られている。
【０００３】
例えば、特許文献１には、カートリッジなど消耗品容器に、インク残量などの情報を記憶させたＩＣチップを有し、器機側に該チップと交信するための結合コイルを設け、本体側が固定情報や前回残量情報を取得することにより、正規の消耗品であることを認知するようにした技術が開示されている。
【０００４】
また、特許文献２には、トナーカートリッジに、複数回書き換えが可能な半導体記憶部材を備えるようにした技術が開示されている。
【０００５】
【特許文献１】
特開２０００−２４６９２１号公報
【０００６】
【特許文献２】
特開平１０−１４２９１３号公報
【０００７】
【発明が解決しようとする課題】
しかしながら、このような従来の技術では、電子回路チップが容易に目視で識別できてしまうため、電子回路チップを除去したり、除去した電子回路チップを他のトナーカートリッジ等の媒体に付加してこの媒体を使用することができてしまうという問題があった。
【０００８】
本発明は、このような問題を解決するためになされたもので、定着したＩＣチップが除去されることを防止できるＩＣチップ定着媒体を提供するものである。
【０００９】
【課題を解決するための手段】
本発明の電子回路チップ定着媒体は、上記課題を解決するために、電波を介してデータを送受信するとともに情報記憶部材を有する電子回路チップと、前記電子回路チップの形状を模して形成したダミーチップとを備えたことを特徴とするものである。
【００１０】
この構成により、電子回路チップ定着媒体に電子回路チップを定着させる他にダミーチップを定着させるため、電子回路チップ定着媒体に定着した電子回路チップが特定されるのを困難にすることができ、電子回路チップ定着媒体に定着した電子回路チップが除去されることを防止できる。
【００１１】
また、本発明の電子回路チップ定着媒体は、上記課題を解決するために、複数の前記電子回路チップと、複数の前記ダミーチップとを備え、前記複数の電子回路チップは同一の情報を記憶することを特徴とするものである。
【００１２】
この構成により、全ての電子回路チップが剥離されない限り電子回路チップが記憶する情報を失うことがないとともに、電子回路チップ定着媒体に定着した電子回路チップが除去されることを防止できる。
【００１３】
また、本発明の電子回路チップ定着媒体は、上記課題を解決するために、複数の前記電子回路チップと、複数の前記ダミーチップとを備え、前記複数の電子回路チップは、一の情報を分割した分割情報を各々記憶することを特徴とするものである。
【００１４】
この構成により、定着する電子回路チップ全体の記憶量を増加させることができ、分割された情報が集約できるか否かによって電子回路チップが剥離または改ざんされたか否かを判定することができるとともに、電子回路チップ定着媒体に定着した電子回路チップが除去されることを防止できる。
【００１５】
また、本発明の電子回路チップ定着媒体は、上記課題を解決するために、前記複数の電子回路チップおよび前記複数のダミーチップは、前記電子回路チップ定着媒体における所定の位置に各々配置され、複数の電子回路チップは前記電子回路チップ定着媒体における位置を記憶することを特徴とするものである。
【００１６】
この構成により、電子回路チップに記憶された位置と電子回路チップが実際に定着された位置とが一致するか否かに基づいて電子回路チップが剥離または改ざんされたか否かを判定することができるとともに、電子回路チップ定着媒体に定着した電子回路チップが除去されることを防止できる。
【００１７】
また、本発明の電子回路チップ定着媒体は、上記課題を解決するために、前記複数の電子回路チップは、マジックナンバーを各々記憶することを特徴とするものである。
【００１８】
この構成により、マジックナンバーによって、各電子回路チップの整合性を確認することができるとともに、電子回路チップ定着媒体に定着した電子回路チップが除去されることを防止できる。
【００１９】
また、本発明の電子回路チップ定着媒体は、上記課題を解決するために、前記複数の電子回路チップおよび前記複数のダミーチップは、前記電子回路チップ定着媒体における乱数により決定された位置に各々配置されることを特徴とするものである。
【００２０】
この構成により、電子回路チップ定着媒体に定着した電子回路チップが除去されることを防止できる。
【００２１】
【発明の実施の形態】
以下、本発明の実施の形態を図面を参照して説明する。
【００２２】
（第１の実施の形態）
【００２３】
図１は、本発明の第１の実施の形態に係るＩＣチップ定着媒体１２０およびＩＣチップ定着媒体１２０と通信を行う媒体判別装置１１０の構成を示すブロック図である。なお、図１は、媒体判別装置１１０を画像形成装置に適用し、また、ＩＣチップ定着媒体１２０を媒体判別装置１１０に装着して使用されるトナーカートリッジに適用する例を示す。
【００２４】
トナーカートリッジとしてのＩＣチップ定着媒体１２０には、電波を介してデータを送受信するとともに情報記憶部材を有するＩＣチップ１２１と、このＩＣチップ１２１の形状を模して形成したダミーＩＣチップ１２２が定着されている。
【００２５】
画像形成装置としての媒体判別装置１１０は、ＩＣチップ１２１と電波を介してデータを送受信する送受信部１１１と、トナー残量検知部１１３と、送受信部１１１がＩＣチップ１２１から得た情報とトナー残量検知部１１３が検知したトナー残量とに基づいて判定を行なう判定部１１２とから構成される。
【００２６】
トナー残量検知部１１３は、ＩＣチップ定着媒体１２０が媒体判別装置１１０に装着された状態で、ＩＣチップ定着媒体１２０に収納されたトナーの残量を検知するものである。また、トナー残量検知部１１３が検知したトナー残量は、送受信部１１０を介してＩＣチップ定着媒体１２０に定着されたＩＣチップ１２１に書き込まれるようになっている。
【００２７】
判定部１１２は、ＩＣチップ１２１に書き込まれたトナー残量と、トナー残量検知部１１３が検知したトナー残量とに基づいて、画像形成動作すなわち印刷動作をするか否かを判定するようになっている。
【００２８】
次に、図２を参照して本発明を媒体判別装置１３０としてカメラに適用し、また、ＩＣチップ定着媒体１４０として、媒体判別装置１３０に装着して使用されるフィルムに適用する例を示す。
【００２９】
フィルムとしてのＩＣチップ定着媒体１４０には、電波を介してデータを送信するとともに情報記憶部材を有するＩＣチップ１４１と、このＩＣチップ１４１の形状を模して形成したダミーＩＣチップ１４２が定着されている。
【００３０】
情報記憶部材は、ＲＡＭ、フラッシュＲＯＭ等の書き換え可能なものや、ＲＯＭ等の読出し専用のものから構成される。
【００３１】
カメラとしての媒体判別装置１３０は、ＩＣチップ１４１から電波を介してデータを受信する受信部１３１と、受信部１３１から受信したデータに基づいて判定を行なう判定部１３２とから構成される。
【００３２】
次に、図３を参照して、上記のように構成されたトナーカートリッジとしてのＩＣチップ定着媒体１２０が装着された画像形成装置としての媒体判別装置１１０の動作について説明する。
【００３３】
図示しない操作部等から画像形成動作等の動作指令があると（Ｓ１０１）、トナー残量検知部１１３はトナー残量を検知し（Ｓ１０２）、次いで、送受信部１１１はＩＣチップ１２１に記録されたトナー残量を受信する（Ｓ１０３）。
【００３４】
次いで、判定部１１２は、Ｓ１０２で検知したトナー残量と、Ｓ１０３で受信したトナー残量が一致するかどうかを判定し（Ｓ１０４）、一致する場合は画像形成動作等の動作を行い、一致しない場合は画像形成動作等の動作をすることなく終了する（Ｓ１０８）。
【００３５】
次いで、画像形成動作等の動作の後に、トナー残量検知部１１３はトナー残量を検知し（Ｓ１０６）、送受信部１１１は検知されたトナー残量をＩＣチップ１２０に送信し書き込みを行ない（Ｓ１０７）、終了する（Ｓ１０８）。すなわち、Ｓ１０７では、ＩＣチップ１２１が記憶するトナー残量の更新が行なわれる。
【００３６】
このように本実施形態では、ＩＣチップ定着媒体にＩＣチップを定着させる他にダミーＩＣチップを定着させるため、ＩＣチップ定着媒体に定着したＩＣチップが特定されるのを困難にすることができる。従って、ＩＣチップ定着媒体に定着したＩＣチップが除去されることを防止できる。
【００３７】
（第２の実施の形態）
【００３８】
図４および図５を参照して、第２の実施形態のＩＣチップ定着媒体２２０について説明する。
【００３９】
本実施形態のＩＣチップ定着媒体２２０は、第１の実施形態で説明したＩＣチップ定着媒体１２０がＩＣチップ１４１およびダミーＩＣチップ１４２を複数備えるようにしたものである。
【００４０】
また、ＩＣチップ定着媒体２２０は、第１の実施形態と同様に媒体判別装置１１０に装着されるとともに、媒体判別装置１１０が備える送受信部１１１と電波を介してデータを送受信するようになっている。本実施形態においては、第１の実施形態に係る媒体判別装置１１０を引用するとともに、その説明を省略する。
【００４１】
図４において、ＩＣチップ定着媒体２２０には、電波を介してデータを送受信するとともに情報記憶部材を有する複数の複数のＩＣチップ２０１〜２０５、２０９、２１０と、これらＩＣチップ２０１〜２０５、２０９、２１０の形状を模して形成したダミーＩＣチップ２０６〜２０８、２１１〜２１８が定着されている。
【００４２】
情報記憶部材は、ＲＡＭ、フラッシュＲＯＭ等の書き換え可能なものや、ＲＯＭ等の読出し専用のものから構成される。
【００４３】
ＩＣチップ２０１〜２０５、２０９、２１０と、ダミーＩＣチップ２０６〜２０８、２１１〜２１８は、ＩＣチップ定着媒体２２０上における所定の位置にそれぞれ定着されており、本実施形態では星座の大熊座を形成する各恒星の位置に定着されている。なお、図４において、塗りつぶされた円はＩＣチップを示し、中抜きされた円はダミーＩＣチップを示している。
【００４４】
各ＩＣチップ２０１〜２０５は、同一のデータを記憶しており、図５に示すようなＩＤ番号、商品コード、残量等から構成されるデータを記憶している。なお、残量とは、ＩＣチップ定着媒体２２０がトナーカートリッジであるときのトナー残量のことを示す。
【００４５】
次に、図６を参照して、上記のように構成されたＩＣチップ定着媒体２２０が装着された媒体判別装置１１０の動作について説明する。
【００４６】
図示しない操作部等から画像形成動作等の動作指令があると（Ｓ２０１）、送受信部１１１は各ＩＣチップ２０１〜２０５、２０９、２１０に記録されたＩＤ番号、商品コード、残量等の情報を受信する（Ｓ２０２）。
【００４７】
次いで、判定部１１２は、Ｓ２０２で受信したＩＣチップ２０１〜２０５の数が、媒体判別装置１１０が備える図示しない記憶部に予め記憶された数と同じであるか否かによってＩＣ情報が正常かどうかを判別する（Ｓ２０３）。
【００４８】
Ｓ２０３でＩＣ情報が正常と判別された場合は、各ＩＣチップ２０１〜２０５、２０９、２１０に記録された情報が一致するかすなわち情報が同一であるか否かを判別する（Ｓ２０４）。
【００４９】
Ｓ２０４で情報が一致すると判別された場合は、画像形成動作等の動作を行い（Ｓ２０５）、終了する（Ｓ２０６）。
【００５０】
一方、Ｓ２０３でＩＣ情報が正常と判別されない場合、およびＳ２０４で情報が一致すると判別されない場合は、Ｓ２０６に移行して終了する（Ｓ２０６）。
【００５１】
このように本実施形態では、ＩＣチップ定着媒体に複数のＩＣチップおよび複数のダミーＩＣチップを定着させるとともに、各ＩＣチップに同一の情報を記憶させているため、ＩＣチップ定着媒体に定着したＩＣチップが特定されるのを困難にすることができ、全てのＩＣチップが剥離されない限りＩＣチップが記憶する情報を失うことがない。従って、ＩＣチップ定着媒体に定着したＩＣチップが除去されることを防止できる。
【００５２】
（第３の実施の形態）
【００５３】
図７および図８を参照して、第３の実施形態のＩＣチップ定着媒体３２０について説明する。
【００５４】
本実施形態のＩＣチップ定着媒体３２０は、第１の実施形態で説明したＩＣチップ定着媒体１２０がＩＣチップ１４１およびダミーＩＣチップ１４２を複数備えるようにしたものである。
【００５５】
また、ＩＣチップ定着媒体３２０は、第１の実施形態と同様に媒体判別装置１１０に装着されるとともに、媒体判別装置１１０が備える送受信部１１１と電波を介してデータを送受信するようになっている。本実施形態においては、第１の実施形態に係る媒体判別装置１１０を引用するとともに、その説明を省略する。
【００５６】
図７において、ＩＣチップ定着媒体３２０には、電波を介してデータを送受信するとともに情報記憶部材を有する複数の複数のＩＣチップ３０１、３０４、３０６、３１１、３１２、３１６、３１８と、これらＩＣチップ３０１、３０４、３０６、３１１、３１２、３１６、３１８の形状を模して形成したダミーＩＣチップ３０２、３０３、３０５、３０７〜３１０、３１３〜３１５、３１７が定着されている。
【００５７】
情報記憶部材は、ＲＡＭ、フラッシュＲＯＭ等の書き換え可能なものや、ＲＯＭ等の読出し専用のものから構成される。
【００５８】
ＩＣチップ３０１、３０４、３０６、３１１、３１２、３１６、３１８と、ダミーＩＣチップ３０２、３０３、３０５、３０７〜３１０、３１３〜３１５、３１７は、ＩＣチップ定着媒体３２０上における所定の位置にそれぞれ定着されており、本実施形態では星座の大熊座を形成する各恒星の位置に定着されている。なお、図７において、塗りつぶされた円はＩＣチップを示し、中抜きされた円はダミーＩＣチップを示している。
【００５９】
また、図８に示すように、ＩＣチップ３０１、３０４、３０６、３１１、３１２、３１６は、図５で説明したＩＤ番号、商品コード、残量等から構成されるデータを分割したものおよび各ＩＣチップの順番を示す順番情報を記憶している。
【００６０】
また、ＩＣチップ３１８は、パリティー（ｐａｒｉｔｙ）情報および各ＩＣチップの順番を示す順番情報を記憶している。なお、図７において、各ＩＣチップおよびダミーＩＣチップに付した１〜１８の番号は、図８の左の列のＩＣ１〜ＩＣ１８で示す識別番号に対応する。また、本実施形態では、パリティー情報を検査用情報として用いているが、この他にハミング符号方式、ＣＲＣ方式等の公知の誤り制御方式を用いることもできる。
【００６１】
次に、図９を参照して、上記のように構成されたＩＣチップ定着媒体３２０が装着された媒体判別装置１１０の動作について説明する。
【００６２】
図示しない操作部等から画像形成動作等の動作指令があると（Ｓ３０１）、送受信部１１１は各ＩＣチップ３０１、３０４、３０６、３１１、３１２、３１６、３１８に図８に示したように分割して記録されたＩＤ番号、商品コード、残量等の情報を受信する（Ｓ３０２）。なお、分割して記録されたこれらの情報を送受信部１１１が受信する際には、例えば、公知のアンチコリジョン転送プロトコル（ＩＳＯ／ＩＥＣ  １５６９３参照）に準拠して行なわれる。
【００６３】
次いで、判定部１１２は、Ｓ３０２で受信したＩＣチップ３０１、３０４、３０６、３１１、３１２、３１６、３１８の数が、媒体判別装置１１０が備える図示しない記憶部に予め記憶された数と同じであるか否かによってＩＣ情報が正常かどうかを判別する（Ｓ３０３）。
【００６４】
Ｓ３０３でＩＣ情報が正常と判別された場合は、各ＩＣチップ３０１、３０４、３０６、３１１、３１２、３１６に分割して記録された情報を集約する（Ｓ３０４）。すなわち、図５で説明したような分割前の情報を得る。
【００６５】
次いで、判定部１１２は、Ｓ３０４における情報の集約が正常に行なわれたかどうか、すなわち集約された情報が正常であるかをＩＣチップ３１８が記憶するパリティー情報によってチェックする（Ｓ３０５）。
【００６６】
Ｓ３０５で情報が正常であると判別された場合は、画像形成動作等の動作を行い（Ｓ３０６）、この処理を終了する（Ｓ３０７）。
【００６７】
一方、Ｓ３０３でＩＣ情報が正常であると判別されない場合、およびＳ３０５で集約された情報が正常であると判別されない場合は、Ｓ３０７に移行して終了する。
【００６８】
このように本実施形態では、ＩＣチップ定着媒体に複数のＩＣチップおよび複数のダミーＩＣチップを定着させるとともに、一の情報から分割された情報を各ＩＣチップに記憶させているため、ＩＣチップ定着媒体に定着したＩＣチップが特定されるのを困難にすることができ、全てのＩＣチップが剥離されない限りＩＣチップが記憶する情報を失うことがない。また、定着するＩＣチップ全体の記憶量を増加させることができ、分割された情報が集約できるか否かによってＩＣチップが剥離または改ざんされたか否かを判定することができる。従って、ＩＣチップ定着媒体に定着したＩＣチップが除去されることを防止できる。
【００６９】
（第４の実施の形態）
【００７０】
図１０および図１１を参照して、第４の実施形態のＩＣチップ定着媒体４２０について説明する。
【００７１】
本実施形態のＩＣチップ定着媒体４２０は、第１の実施形態で説明したＩＣチップ定着媒体１２０がＩＣチップ１４１およびダミーＩＣチップ１４２を複数備えるようにしたものである。
【００７２】
また、ＩＣチップ定着媒体４２０は、第１の実施形態と同様に媒体判別装置１１０に装着されるとともに、媒体判別装置１１０が備える送受信部１１１と電波を介してデータを送受信するようになっている。本実施形態においては、第１の実施形態に係る媒体判別装置１１０を引用するとともに、その説明を省略する。
【００７３】
図１０において、ＩＣチップ定着媒体４２０には、電波を介してデータを送受信するとともに情報記憶部材を有する複数の複数のＩＣチップ４０１、４０４、４０６、４１１、４１２、４１６、４１８と、これらＩＣチップ４０１、４０４、４０６、４１１、４１２、４１６、４１８の形状を模して形成したダミーＩＣチップ４０２、４０３、４０５、４０７〜４１０、４１３〜４１５、４１７が定着されている。
【００７４】
情報記憶部材は、ＲＡＭ、フラッシュＲＯＭ等の書き換え可能なものや、ＲＯＭ等の読出し専用のものから構成される。
【００７５】
ＩＣチップ４０１、４０４、４０６、４１１、４１２、４１６、４１８と、ダミーＩＣチップ４０２、４０３、４０５、４０７〜４１０、４１３〜４１５、４１７は、ＩＣチップ定着媒体４２０上における所定の位置にそれぞれ定着されており、本実施形態では星座の大熊座を形成する各恒星の位置に定着されている。なお、図１０において、塗りつぶされた円はＩＣチップを示し、中抜きされた円はダミーＩＣチップを示している。
【００７６】
図１１に示すように、ＩＣチップ４０１、４０４、４０６、４１１、４１２、４１６は、図５で説明したＩＤ番号、商品コード、残量等から構成されるデータを分割したデータ、各ＩＣチップの順番を示す順番情報、およびＩＣチップ定着媒体４２０上における各ＩＣチップ４０１、４０４、４０６、４１１、４１２、４１６の位置を示す座標を記憶している。本実施形態では座標として（ｘ，ｙ）というように２軸上の座標を用いて表しているが、例えば回転座標を使っても良い。
【００７７】
また、ＩＣチップ４１８は、パリティー（ｐａｒｉｔｙ）情報および各ＩＣチップの順番を示す順番情報を記憶している。なお、図１０において、各ＩＣチップおよびダミーＩＣチップに付した１〜１８の番号は、図１１の左の列のＩＣ１〜ＩＣ１８で示す識別番号に対応する。また、本実施形態では、パリティー情報を検査用情報として用いているが、この他にハミング符号方式、ＣＲＣ方式等の公知の誤り制御方式を用いることもできる。
【００７８】
次に、図１２を参照して、上記のように構成されたＩＣチップ定着媒体４２０が装着された媒体判別装置１１０の動作について説明する。
【００７９】
図示しない操作部等から画像形成動作等の動作指令があると（Ｓ４０１）、送受信部１１１は各ＩＣチップ４０１、４０４、４０６、４１１、４１２、４１６、４１８に図１１に示したように分割して記録されたＩＤ番号、商品コード、残量等の情報、座標、および順番情報を受信するとともに、各ＩＣチップ４０１、４０４、４０６、４１１、４１２、４１６のＩＣチップ定着媒体４２０上における実際の座標を割り出す（Ｓ４０２）。ここで、ＩＣチップ定着媒体４２０上における各ＩＣチップの実際の座標の割り出しは、ＩＣチップ定着媒体４２０上を走査するように送受信部１１１を移動させ、検知された電界強度に基づいて各ＩＣチップの位置を検出するようにしてもよい。また、ＩＣチップ定着媒体４２０上の各ＩＣチップが配置される位置に対応する位置に複数配置した送受信部１１１によって検知された電界強度に基づいて電子回路チップの位置を算出するようにしてもよい。なお、分割して記録されたこれらの情報を送受信部１１１が受信する際には、例えば、公知のアンチコリジョン転送プロトコル（ＩＳＯ／ＩＥＣ１５６９３参照）に準拠して行なわれる。
【００８０】
次いで、判定部１１２は、Ｓ４０２で受信したＩＣチップ４０１、４０４、４０６、４１１、４１２、４１６、４１８の数が、媒体判別装置１１０が備える図示しない記憶部に予め記憶された数と同じであるか否かによってＩＣ情報が正常かどうかを判別する（Ｓ４０３）。
【００８１】
Ｓ４０３でＩＣ情報が正常と判別された場合は、各ＩＣチップ４０１、４０４、４０６、４１１、４１２、４１６に分割して記録された情報を集約する（Ｓ４０４）。すなわち、図５で説明したような分割前の情報を得る。
【００８２】
次いで、判定部１１２は、Ｓ４０４における情報の集約が正常に行なわれたかどうか、すなわち集約された情報が正常であるかをＩＣチップ４１８が記憶するパリティー情報によってチェックする（Ｓ４０５）。
【００８３】
次いで、Ｓ４０５で正常と判別された場合は、ＩＣチップ４０１、４０４、４０６、４１１、４１２、４１６、４１８がそれぞれ記憶する座標と、各ＩＣチップ４０１、４０４、４０６、４１１、４１２、４１６のＩＣチップ定着媒体４２０上における実際の座標が一致するかどうかをチェックして（Ｓ４０６）、一致している場合は、画像形成動作等の動作を行い（Ｓ４０７）、この処理を終了する（Ｓ４０８）。
【００８４】
一方、Ｓ４０３においてＩＣ情報が正常であると判別されない場合、およびＳ４０５において集約された情報が正常であると判別されない場合、および、Ｓ４０６において座標が一致すると判別されない場合は、Ｓ４０８に移行して終了する。
【００８５】
このように本実施形態では、ＩＣチップ定着媒体に複数のＩＣチップおよび複数のダミーＩＣチップを定着させるとともに、一の情報から分割された情報を各ＩＣチップに記憶させているため、ＩＣチップ定着媒体に定着したＩＣチップが特定されるのを困難にすることができ、全てのＩＣチップが剥離されない限りＩＣチップが記憶する情報を失うことがない。また、定着するＩＣチップ全体の記憶量を増加させることができ、分割された情報が集約できるか否かによってＩＣチップが剥離または改ざんされたか否かを判定することができる。また、ＩＣチップに記憶された位置とＩＣチップが実際に定着された位置とが一致するか否かに基づいてＩＣチップが剥離または改ざんされたか否かを判定することができる。従って、ＩＣチップ定着媒体に定着したＩＣチップが除去されることを防止できる。
【００８６】
（第５の実施の形態）
【００８７】
図１３〜図１５を参照して、第５の実施形態のＩＣチップ定着媒体５２０について説明する。
【００８８】
本実施形態のＩＣチップ定着媒体５２０は、第１の実施形態で説明したＩＣチップ定着媒体１２０がＩＣチップ１４１およびダミーＩＣチップ１４２を複数備えるようにしたものである。
【００８９】
また、ＩＣチップ定着媒体５２０は、第１の実施形態と同様に媒体判別装置１１０に装着されるとともに、媒体判別装置１１０が備える送受信部１１１と電波を介してデータを送受信するようになっている。本実施形態においては、第１の実施形態に係る媒体判別装置１１０を引用するとともに、その説明を省略する。
【００９０】
図１３において、ＩＣチップ定着媒体５２０には、電波を介してデータを送受信するとともに情報記憶部材を有する複数の複数のＩＣチップ５０１、５０４、５０６、５０８、５１１、５１２、５１６、５１８と、これらＩＣチップ５０１、５０４、５０６、５１１、５１２、５１６、５１８の形状を模して形成したダミーＩＣチップ５０２、５０３、５０５、５０７、５０９、５１０、５１３〜５１５、５１７が定着されている。
【００９１】
情報記憶部材は、ＲＡＭ、フラッシュＲＯＭ等の書き換え可能なものや、ＲＯＭ等の読出し専用のものから構成される。
【００９２】
ＩＣチップ５０１、５０４、５０６、５０８、５１１、５１２、５１６、５１８と、ダミーＩＣチップ５０２、５０３、５０５、５０７、５０９、５１０、５１３〜５１５、５１７は、ＩＣチップ定着媒体５２０上における所定の位置にそれぞれ定着されており、本実施形態では星座の大熊座を形成する各恒星の位置に定着されている。なお、図１３において、塗りつぶされた円はＩＣチップを示し、中抜きされた円はダミーＩＣチップを示している。
【００９３】
図１５に示すように、ＩＣチップ５０１、５０４、５０６、５１１、５１２、５１６は、図５で説明したＩＤ番号、商品コード、残量等に更にマジックナンバーを加えた図１４に示すデータを分割したデータと、各ＩＣチップの順番を示す順番情報を記憶している。
【００９４】
また、ＩＣチップ５０８は、分割されたＩＤ番号、商品コード、残量、およびマジックナンバーと順番情報を記憶しているが、マジックナンバーとして６ａ５９を記憶する他のＩＣチップ５０１、５０４、５０６、５１１、５１２、５１６と異なり、マジックナンバー７２ａ９を記憶しており、ダミーＩＣチップとして機能するようになっている。
【００９５】
また、ＩＣチップ５１８は、パリティー（ｐａｒｉｔｙ）情報および各ＩＣチップの順番を示す順番情報を記憶している。なお、図１３において、各ＩＣチップおよびダミーＩＣチップに付した１〜１８の番号は、図１５の左の列のＩＣ１〜ＩＣ１８で示す識別番号に対応する。また、本実施形態では、パリティー情報を検査用情報として用いているが、この他にハミング符号方式、ＣＲＣ方式等の公知の誤り制御方式を用いることもできる。
【００９６】
次に、図１６を参照して、上記のように構成されたＩＣチップ定着媒体５２０が装着された媒体判別装置１１０の動作について説明する。
【００９７】
図示しない操作部等から画像形成動作等の動作指令があると（Ｓ５０１）、送受信部１１１は各ＩＣチップ５０１、５０４、５０６、５０８、５１１、５１２、５１６、５１８に図１５に示したように分割して記録されたＩＤ番号、商品コード、残量等の情報、マジックナンバー、および順番情報を受信する（Ｓ５０２）。なお、分割して記録されたこれらの情報を送受信部１１１が受信する際には、例えば、公知のアンチコリジョン転送プロトコル（ＩＳＯ／ＩＥＣ  １５６９３参照）に準拠して行なわれる。
【００９８】
次いで、判定部１１２は、Ｓ５０２で受信したＩＣチップ５０１、５０４、５０６、５０８、５１１、５１２、５１６、５１８のうち、マジックナンバー６ａ５９を記憶するＩＣチップ５０１、５０４、５０６、５１１、５１２、５１６、５１８の数が、媒体判別装置１１０が備える図示しない記憶部に予め記憶された数と同じであるか否かによってＩＣ情報が正常かどうかを判別する（Ｓ５０３）。
【００９９】
Ｓ５０３でＩＣ情報が正常と判別された場合は、マジックナンバー６ａ５９を記憶するＩＣチップ５０１、５０４、５０６、５１１、５１２、５１６に分割して記録された情報を集約する（Ｓ５０４）。すなわち、図１４で説明したような分割前の情報を得る。
【０１００】
次いで、判定部１１２は、Ｓ５０４における情報の集約が正常に行なわれたかどうか、すなわち集約された情報が正常であるかをＩＣチップ５１８が記憶するパリティー情報によってチェックする（Ｓ５０５）。
【０１０１】
次いで、Ｓ５０５で正常と判別された場合は、ＩＣチップ５０１、５０４、５０６、５１１、５１２、５１６、５１８がそれぞれ記憶する座標と、各ＩＣチップ５０１、５０４、５０６、５１１、５１２、５１６のＩＣチップ定着媒体５２０上における実際の座標が一致するかどうかをチェックして（Ｓ５０６）、一致している場合は、画像形成動作等の動作を行い（Ｓ５０７）、この処理を終了する（Ｓ５０８）。
【０１０２】
一方、Ｓ５０３においてＩＣ情報が正常であると判別されない場合、およびＳ５０５において集約された情報が正常であると判別されない場合、および、Ｓ５０６において座標が一致すると判別されない場合は、Ｓ５０８に移行して終了する。
【０１０３】
このように本実施形態では、ＩＣチップ定着媒体に複数のＩＣチップおよび複数のダミーＩＣチップを定着させるとともに、一の情報から分割された情報を各ＩＣチップに記憶させているため、ＩＣチップ定着媒体に定着したＩＣチップが特定されるのを困難にすることができ、全てのＩＣチップが剥離されない限りＩＣチップが記憶する情報を失うことがない。また、定着するＩＣチップ全体の記憶量を増加させることができ、分割された情報が集約できるか否かによってＩＣチップが剥離または改ざんされたか否かを判定することができる。また、ＩＣチップに記憶された位置とＩＣチップが実際に定着された位置とが一致するか否かに基づいてＩＣチップが剥離または改ざんされたか否かを判定することができる。更に、各ＩＣチップに付与されたマジックナンバーによって、各ＩＣチップの整合性を確認することができる。従って、ＩＣチップ定着媒体に定着したＩＣチップが除去されることを防止できる。
【０１０４】
なお、第２の実施形態から第５の実施形態において、どの位置にＩＣチップまたはダミーＩＣチップを配置するかを、乱数により決定するようにしてもよい。一例として、図８に示すように、ＩＣチップまたはダミーＩＣチップのいずれかを配置するかが未定の１８個の定着位置に対し、０または１の２値を乱数によって与え、１であればＩＣチップを、０であればダミーＩＣチップを定着させる。なお、図１８において、上段は定着位置を識別する識別番号、下段は乱数により得た０または１の数値を示している。図１８のように得られた乱数により各識別番号に対応する位置にＩＣチップまたはダミーＩＣチップを定着すると図１７に示すようなＩＣチップ６０１、６０４、６０６、６１１、６１２、６１６、６１８およびダミーＩＣチップ６０２、６０３、６０５、６０７、６０８、６０９、６１０、６１３、６１４、６１５、６１７の配置を得ることができる。なお、図１７において、各ＩＣチップおよびダミーＩＣチップに付した番号は、図１８の上段の識別番号に対応する。
【０１０５】
【発明の効果】
本発明によれば、定着したＩＣチップが除去されることを防止できるＩＣチップ定着媒体を提供することができる。
【図面の簡単な説明】
【図１】（ａ）は本発明の第１の実施形態に係るＩＣチップ定着媒体を判別する媒体判別装置の構成を示すブロック図であり、媒体判別装置を画像形成装置に適用した図。
（ｂ）は本発明の第１の実施形態に係るＩＣチップ定着媒体の構成を示すブロック図であり、ＩＣチップ定着媒体をトナーカートリッジに適用した図。
【図２】（ａ）は本発明の第１の実施形態に係るＩＣチップ定着媒体を判別する媒体判別装置の構成を示すブロック図であり、媒体判別装置をカメラに適用した図。
（ｂ）は本発明の第１の実施形態に係るＩＣチップ定着媒体の構成を示すブロック図であり、ＩＣチップ定着媒体をフィルムに適用した図。
【図３】第１の実施形態のＩＣチップ定着媒体を判別する媒体判別装置の動作を示すフローチャート。
【図４】第２の実施形態のＩＣチップ定着媒体を示す図。
【図５】第２の実施形態のＩＣチップ定着媒体の記憶内容を示す図。
【図６】第２の実施形態のＩＣチップ定着媒体を判別する媒体判別装置の動作を示すフローチャート。
【図７】第３の実施形態のＩＣチップ定着媒体を示す図。
【図８】第３の実施形態のＩＣチップ定着媒体の記憶内容を示す図。
【図９】第３の実施形態のＩＣチップ定着媒体を判別する媒体判別装置の動作を示すフローチャート。
【図１０】第４の実施形態のＩＣチップ定着媒体を示す図。
【図１１】第４の実施形態のＩＣチップ定着媒体の記憶内容を示す図。
【図１２】第４の実施形態のＩＣチップ定着媒体を判別する媒体判別装置の動作を示すフローチャート。
【図１３】第５の実施形態のＩＣチップ定着媒体を示す図。
【図１４】第５の実施形態のＩＣチップ定着媒体全体としての記憶内容を示す図。
【図１５】第５の実施形態のＩＣチップ定着媒体個々の記憶内容を示す図。
【図１６】第５の実施形態のＩＣチップ定着媒体を判別する媒体判別装置の動作を示すフローチャート。
【図１７】第６の実施形態のＩＣチップ定着媒体を示す図。
【図１８】第６の実施形態のＩＣチップ定着媒体におけるＩＣチップとダミーＩＣチップを乱数により決定する過程を示す図。
【符号の説明】
１１０、１３０    媒体判別装置
１１１    送受信部
１１２、１３２    判定部
１１３    トナー残量検知部
１２０、１４０、２２０、３２０、４２０、５２０、６２０    ＩＣチップ定着媒体（電子回路チップ定着媒体）
１２１、１４１、２０１、２０２、２０３、２０４、２０５、２０９、２１０、３０１、３０４、３０６、３１１、３１２、３１６、３１８、４０１、４０４、４０６、４１１、４１２、４１６、４１８、５０１、５０４、５０６、５１１、５１２、５１６、５１８６０１、６０４、６０６、６１１、６１２、６１６、６１８    ＩＣチップ（電子回路チップ）
１２２、１４２、２０６〜２０８、２１１〜２１８、３０２、３０３、３０５、３０７、３０８、３０９、３１０、３１３、３１４、３１５、３１７、４０２、４０３、４０５、４０７、４０８、４０９、４１０、４１３、４１４、４１５、４１７、５０２、５０３、５０５、５０７、５０８、５０９、５１０、５１３、５１４、５１５、５１７、６０２、６０３、６０５、６０７、６０８、６０９、６１０、６１３、６１４、６１５、６１７    ダミーＩＣチップ（ダミーチップ）
１３１    受信部
【図１】
2004295171.tif 000003
【図２】
2004295171.tif 000004
【図３】
2004295171.tif 000005
【図４】
2004295171.tif 000006
【図５】
2004295171.tif 000007
【図６】
2004295171.tif 000008
【図７】
2004295171.tif 000009
【図８】
2004295171.tif 000010
【図９】
2004295171.tif 000011
【図１０】
2004295171.tif 000012
【図１１】
2004295171.tif 000013
【図１２】
2004295171.tif 000014
【図１３】
2004295171.tif 000015
【図１４】
2004295171.tif 000016
【図１５】
2004295171.tif 000017
【図１６】
2004295171.tif 000018
【図１７】
2004295171.tif 000019
【図１８】
2004295171.tif 000020